(57)【要約】  家具用ヒンジを全体的に囲むと共に少なくとも２つの要素を有するシェル構造体であって、家具用ヒンジの可動部分（５）及び固定部分（９）の一方に適用可能な雌要素（１）と、家具用ヒンジの固定部分（９）及び可動部分（５）の他方に適用可能に固定された雄要素（７）とを有するシェル構造体において、雌要素（１）は、家具用ヒンジの可動部分（５）若しくは固定部分（９）と一体であるジョイント（３）、又は家具用ヒンジの可動部分（５）若しくは固定部分（９）を取り付けた家具の部品の一部と直接的に取り付けられたジョイント（３）に、ヒンジ状に接続可能であり、付勢又は案内手段が設けられ、それによって、雌要素（１）が、ヒンジの移動中に、家具用ヒンジの固定部分（９）又は可動部分（５）の他方に固定された雄要素（７）上を摺動するように付勢又は案内されるシェル構造体。【選択図】図１
2016507682.tif 000002
【特許請求の範囲】
【請求項１】
家具用ヒンジを全体的に囲むと共に少なくとも２つの要素を有するシェル構造体であって、前記家具用ヒンジの可動部分（５）及び固定部分（９）の一方に適用可能に構成された雌要素（１）と、前記家具用ヒンジの固定部分（９）及び可動部分（５）の他方に適用可能とするように固定された雄要素（７）とを有するシェル構造体において、
前記雌要素（１）が、前記家具用ヒンジの可動部分（５）若しくは固定部分（９）と一体となっているジョイント（３）、又は前記家具用ヒンジの可動部分（５）若しくは固定部分（９）を取り付けた家具の部品における一部と直接的に取り付けられるジョイント（３）に、ヒンジ状に接続可能に構成され、
付勢又は案内手段が設けられ、それによって、前記雌要素（１）が、前記家具用ヒンジの移動中に、前記家具用ヒンジの固定部分（９）及び可動部分（５）の他方に固定された前記雄要素（７）に対して摺動するように付勢又は案内される構成となっている、シェル構造体。
【請求項２】
前記雄要素（７）が、上方側で開口すると共に下方側で形を成すシェル形状の第３の要素（１０）に重なって配置され、
前記第３の要素が、前記雄要素（７）により覆われない前記家具用ヒンジの残りの部分を囲むように形成され、かつ前記雄要素（７）を取り付けたものと同じ家具用ヒンジの部分にスナップ式に留めることができるに構成されている、請求項１に記載された、家具用ヒンジを全体的に囲むと共に少なくとも２つの要素を有するシェル構造体。
【請求項３】
前記雌要素（１）が、前記雄要素（７）上に載置されるようにバネ要素（４）によって付勢されている、請求項１又は２に記載された、家具用ヒンジを全体的に囲むと共に少なくとも２つの要素を有するシェル構造体。
【請求項４】
前記雌要素（１）が、前記家具用ヒンジの可動部分（５）又は固定部分（９）と一体の前記ジョイント（３）にヒンジ状に取り付けされたブロック（２）に、スナップ式に留めることができるに構成されている、請求項１〜３のいずれか一項に記載された、家具用ヒンジを全体的に囲むと共に少なくとも２つの要素を有するシェル構造体。
【請求項５】
前記固定された雄要素（７）が、同要素に取り付け可能な楔ブロック（８）によって、前記固定ヒンジ部分（９）又は可動ヒンジ部分（５）にスナップ式に組み立て可能に構成されている、請求項１〜４のいずれか一項に記載された、家具用ヒンジを全体的に囲むと共に少なくとも２つの要素を有するシェル構造体。
【請求項６】
前記雌要素（１）及び前記雄要素（７）が、互いに別体に構成され、かつ前記家具用ヒンジの可動部分（５）又は固定部分（９）にそれぞれ独立して取り付け可能に構成されている、請求項１〜５のいずれか一項に記載された、家具用ヒンジを全体的に囲むと共に少なくとも２つの要素を有するシェル構造体。
【請求項７】
前記雄要素（７）が、前記家具用ヒンジ（５〜９）を開いている状態で、偶発的な開放を避けるように、前記雌要素（１）の壁の厚さ部分内に設けられた適切な空洞（１２）に嵌合可能に構成された適切な側方突出部（１１）をさらに有している、請求項１〜６のいずれか一項又は複数項に記載された、家具用ヒンジを全体的に囲むと共に少なくとも２つの要素を有するシェル構造体。
【請求項８】
前記雄要素（７）に対する前記雌要素（１）の摺動に案内を不要として、前記摺動が、前記それぞれの部分と、前記閉鎖用バネ要素（４）の付勢であって、一方では、前記家具用ヒンジの可動部分（５）に一体である前記ジョイント（３）又は前記扉（６）に作用し、かつ他方では、前記雌要素（１）をスナップ式に留めることを可能とする前記成形シェル支持ブロック（２）に作用する付勢との両方に関連して、同雄要素（７）上における前記雌要素（１）の一定の重なりによって保証されるものとなっている請求項４〜７のいずれか一項に記載された、家具用ヒンジを全体的に囲むと共に少なくとも２つの要素を有するシェル構造体。
【請求項９】
前記シェル要素のそれぞれ（１〜７）に含めずに別体の構成要素として設けられる前記シェル支持ブロック（２）及び前記楔ブロック（８）の存在が、単一の組立体システムと共に、囲まれる家具用ヒンジの種類に対応して異なる形状及び厚さを有するシェル要素（１〜７）を設ける必要性を満たすものとなっている、請求項５〜８のいずれか一項又は複数項に記載の家具用ヒンジを全体的に囲む少なくとも２つの要素を有するシェル構造体。
【請求項１０】
前記家具用ヒンジの可動部分（５）に設けられた前記ジョイント（３）の存在が、同家具用ヒンジ（５）の形状に適するようになっている一方で、他の形状に対しては、前記ジョイント（３）が、独立すると共に前記扉（６）と直接一体にすることができるように構成されている、請求項１〜９のいずれか一項又は複数項に記載された、家具用ヒンジを全体的に囲むと共に少なくとも２つの要素を有するシェル構造体。
【請求項１１】
前記シェル要素（１〜７）の運動学的機構が前記家具用ヒンジ（５〜９）の運動学的機構から分離されている、請求項１〜１０のいずれか一項又は複数項に記載された、家具用ヒンジを全体的に囲むと共に少なくとも２つの要素を有するシェル構造体。
【請求項１２】
前記第３のシェル要素（１０）の存在が、該要素（１０）及び前記雄シェル要素（７）間の重なりの深さ部分によって、部分的又は完全なアームを有する基部の使用又は家具用ヒンジの使用により生じる厚さ部分全体を隠すことができる必要性を満たすものとなっている、請求項２〜１１のいずれか一項又は複数項に記載された、家具用ヒンジを全体的に囲むと共に少なくとも２つの要素を有するシェル構造体。
【請求項１３】
前記雄要素（７）に空洞（１３）が設けられる一方で、前記雌要素（１）に突出部（１４）が設けられ、前記突出部（１４）が、前記雄要素（７）上における前記雌要素（１）の一定の重なりを確実にするように前記空洞（１３）に嵌合する構成となっている、請求項１又は２に記載された、家具用ヒンジを全体的に囲むと共に少なくとも２つの要素を有するシェル構造体。
【請求項１４】
前記シェル要素（１〜７）の運動学的機構が前記家具用ヒンジ（５〜９）の運動学的機構から分離しており、
前記シェル要素（１〜７）は、異なる形状（そのいくつかの例を図８〜図１１に示す）を想定して構成することができ、かつ同要素（１〜７）に囲まれた前記家具用ヒンジ（５〜９）に所望の審美的外観をもたすことができるようになっている、請求項１〜１３のいずれか一項又は複数項に記載された、家具用ヒンジを全体的に囲むと共に少なくとも２つの要素を有するシェル構造体。
【請求項１５】
適切な材料によって適切な厚さに作製され、かつ前記雌要素（１）と部分的若しくは完全に一体であるか又は前記雌要素（１）に留められて、生じ得る摩擦及び結果的に生ずる引きずり騒音を減少させるように適切に形作られた要素（１５）を、前記シェル要素（１，７）同士の間に介在させることができるようになっている請求項１〜１４のいずれか一項又は複数項に記載された、家具用ヒンジを全体的に囲むと共に少なくとも２つの要素を有するシェル構造体。
【発明の詳細な説明】
【技術分野】
【０００１】
本発明は、家具用ヒンジを全体的に囲むと共に少なくとも２つの要素を有するシェル構造体に関する。より詳細には、本発明は、家具用ヒンジの可動部分及び固定部分の一方と一体の雌要素と、家具用ヒンジの固定部分及び可動部分の他方に適用可能とするように取り付けられた雄要素とから成る、家具用ヒンジを全体的に囲むと共に少なくとも２つの要素を有するシェル構造体に関する。
【背景技術】
【０００２】
本発明は、新規かつ独創的な手法によって、家具業界で未だ対処されていない課題を解決することを目的とするものである。すなわち、本発明は、必要に応じて形作ることができるシェル構造体の外観によって、家具用ヒンジの審美的に乏しい外観を隠して、その外観にとり替わるようにするという課題であって、審美的に美しくないヒンジをそれ自体の運動学的機構（kinematic mechanism）と共にシェル構造体内にて全体的に囲むようにするという課題を解決することを目的とする。これまで、かかる課題は、本発明に係る装置により対処及び解決される手法を用いて対処されておらず、提案される解決策は、これまで、使用中における事故の発生を防ぐべく、適宜危険と想定される箇所にて家具用ヒンジを部分的に覆う単なる「保護用」ガードとして考えられてきた。また、既知の装置のうち他のものは、ヒンジを取り付けた状態で、ヒンジ自体に損傷を与えることなく、家具の扉及び側面を塗装することを可能にするように構成された単なるガードとしてのみ提案されてきた。本発明の目的は、少なくとも２つの要素を有するシェル構造体であって、それらの一方が固定されると共に他方が移動可能であり、かつ固定側の一方の要素上にてヒンジの開閉中に移動可能な要素が摺動する、シェル構造体を実現し、さらに、ヒンジを決して見えないように完全に覆うことによって、これら及び他の欠点を改善するということにある。本発明のさらなる目的は、ヒンジを囲むと共に２つの要素により構成されたシェル構造体であって、それらの一方が固定されると共に他方が移動可能であり、一方の移動可能な要素が、家具の扉又は部品における本体部分に直接又は間接的に適切な手法によって接続され、かつ雄要素上における雌要素の相補的な部分及び一定の重なり部分によって、家具の部品における他の部分に対応して固定側の要素上を摺動する、シェル構造体を実現することにある。本発明のさらなる目的は、ヒンジを囲むことを必須条件とするに過ぎない上述の要素が、それら自体の運動学的機構を有し、かつ上述の要素が、それらにより囲まれるヒンジの形状とは顕著に異なる形状を取ることができるために、ヒンジを全体的に囲む要素の存在が所望の審美的外観を、技術的な対象、すなわち、内部に囲まれたヒンジにもたらすことができる、シェル構造体を実現することにある。このような構成は、囲まれたヒンジを見えなくするような様々な形状に形成されたシェル構造体を実現可能にする。本発明のさらなる目的は、ヒンジの運動学的機構とは完全に分離された運動学的機構を有するヒンジを囲むシェル構造体を実現し、これによって、シェル構造体を、単一の組立体システム（single assembly system）と共に、囲まれる任意の種類のヒンジに適用可能とするような様々な形状及び厚さに構成できるようにすることにある。本発明の一層さらなる目的は、異なる大きさのヒンジ及び基部の存在下においても使用可能となるように、ヒンジの運動学的機構とは完全に分離された運動学的機構を用いてヒンジを囲むシェル構造体を実現することにある。
【発明の概要】
【０００３】
これら及び他の目的は、本発明として、家具用ヒンジを全体的に囲むと共に少なくとも２つの要素を有するシェル構造体であって、雌要素が、家具用ヒンジの可動部分若しくは固定部分と一体となっているジョイント、又は家具用ヒンジの可動部分若しくは固定部分を取り付けた家具の部品における一部と直接的に取り付けられているジョイントに、ヒンジ状に接続可能であり、付勢又は案内手段が設けられ、それによって、雌要素が、ヒンジの移動中に、家具用ヒンジの固定部分及び可動部分の他方に取り付けられた雄要素上を摺動するように付勢又は案内される、シェル構造体によって実現される。
【０００４】
好ましくは、雄要素は、上方側で開口すると共に下方側で形を成すシェル形状の第３の要素に重なり、第３の要素が、雄要素により覆われないヒンジの残りの部分を囲み、かつ雄要素を取り付けたものと同じヒンジの部分にスナップ式に留めること（snap-hookable）ができるように構成可能である。このことによって、様々な高さの基部に適用すること、又は異なる形状及び大きさのアームに対してヒンジを使用することにより生じる厚さ部分全体を隠すことが可能になる。好ましい実施形態においては、雌要素は、雄要素上に載置されるようにバネ要素によって付勢される。
【０００５】
好ましくは、雌要素は、家具用ヒンジの可動部分又は固定部分と一体のジョイントにヒンジ状に取り付けされたブロックに、スナップ式に留めることができる。
【０００６】
さらに好ましい実施形態では、取り付けられた雄要素は、そこに取り付け可能な楔ブロックによって、ヒンジの固定部分又はヒンジの可動部分にスナップ式に組立可能（snap-assemble）となっている。
【０００７】
好ましくは、本発明によれば、雌要素及び雄要素は、それぞれのヒンジの可動部分又はヒンジの固定部分に独立して取り付けることができる別体の要素である。
【０００８】
本発明のさらなる実施形態では、雄要素のいずれかの側部には、ヒンジを開いている状態で、偶発的な開放を避けるように、雌要素の壁の厚さ部分内に形成された適切な空洞に嵌合可能に構成された適切な側方突出部が設けられ、その一方で、雄要素上における雌要素の摺動は、それぞれの部分と、閉鎖用バネの動作であって、一方では、ヒンジの可動部分と一体のジョイント又は扉に作用すると共に、他方では、雌要素をスナップ式に留めた成形シェル支持ブロック（shaped shell-supporting block）に作用する動作との両方に関連して、案内によってもたらされ、又は同雄要素上における雌要素の一定の重なり部分によって保証され得るものとなっている。また、適切な材料により適切な厚さに作製され、雌要素と部分的又は完全に一体の又は雌要素に結合され、これによって、生じ得る摩擦及び結果的に生じる引きずり騒音（dragging noise）を減少させるように適切に形作られた要素を、シェル要素同士の間に介在させることができる。さらに、シェル要素のそれぞれに含めずにそれら自体の構成要素として構成されるシェル支持ブロック及び楔ブロックの存在が、単一の組立体システムと共に、囲まれるヒンジの種類に対応して様々な形状及び厚さのシェル要素を設けることができるという必要性を満たすものとなっている。最後に、シェル要素が、扉の移動を支持する必要なくヒンジを囲むだけであり、かつそれら自体の運動学的機構を有し、その結果、それらを囲むヒンジの形状とは顕著に異なる形状を取ることができるために、ヒンジを全体的に囲むシェル要素の存在は、所望の審美的外観を、内部に囲まれている技術的な対象、すなわち、ヒンジにもたらすことができるものとなっている。このことによって、囲まれたヒンジを見えなくするような様々な形状に形成されたシェル構造体が実現可能となる。これらの全てが、簡単、実際的、かつ安全な動作によって実現することができる。
【０００９】
本発明の主題であるシェル構造体であって、家具用ヒンジを全体的に囲むと共に少なくとも２つの要素を有するシェル構造体のこれら及びさらなる特徴は、概略的に示す２つの添付図面を参照すれば、以下の好ましい非限定的な実施形態の説明からより明らかになるであろう。
【図面の簡単な説明】
【００１０】
【図１】本発明の分解図である。
【図２】開位置にある本発明を示す図である。
【図３】閉位置にある本発明を示す図である。
【図４】本発明の縦断面図を示す図である。
【図５】本発明の断面図を示す図である。
【図６】閉鎖用バネを用いずに開位置にある本発明を示す図である。
【図７】閉鎖用バネを用いずに閉位置にある本発明を示す図である。
【図８】本発明の審美的外観の一例を示す図である。
【図９】本発明の審美的外観の一例を示す図である。
【図１０】本発明の審美的外観の一例を示す図である。
【図１１】本発明の審美的外観の一例を示す図である。
【発明を実施するための形態】
【００１１】
図面の色に拘束力はなく、図面自体を単により良く説明するためのものであることに留意されたい。
【００１２】
上述の図面を参照すると、本発明に係るシェル構造体であって、家具用ヒンジを全体的に囲むと共に少なくとも２つの要素を有するシェル構造体は、基本的には以下の特徴を有している。すなわち、閉鎖用バネ４を用いながらジョイント３にヒンジ状に取り付けたシェル支持ブロック（シェル要素を支持するブロック）２にスナップ式に留めることができると共に、適切かつ様々に形作られた雌要素１であって、ジョイント３が、家具用ヒンジ５の可動部分と一体であるか、又は扉６に直接的に取り付けられている、雌要素１と、家具用ヒンジの固定部分９と一体の楔ブロック８によって固定部分にスナップ式に組み立てられる固定側の雄要素７とが設けられている。雌要素１は、厚さが変わるヒンジの基部又はアームが存在しても、開いている間であって、雄要素７及び雌要素１のシェル形状内にて全体的に囲まれるヒンジ５〜９が移動している間に、閉鎖用バネを用いて雄要素７上を摺動するようになっている。かかる場合に、雄要素７が、上方側で開口すると共に下方側で形作られるシェル形状の第３の要素１０であって、ヒンジの固定部分９における残りの厚さ部分を囲むと共にヒンジ９自体にスナップ式に取り付けられた第３の要素１０に重なっているためである。また、雄要素７には適切な側方突出部１１が設けられ、この側方突出部１１は、偶発的な開放を防ぐべく、ヒンジ５〜９の開放時に、雌要素１の壁の厚部分内に形成された適切な空洞１２に嵌合するようになっている。雄要素７上における雌要素１の摺動は、それらの相補的な部分と、閉鎖用バネ４の動作であって、一方では、ヒンジ５の可動部分に一体のジョイント３又は扉６に作用し、かつ他方では、雌要素１をスナップ式に留めた成形シェル支持ブロック２に作用する動作との両方によってもたらされ、その結果として、かかる摺動が、案内を必要とせずに、雄要素７上における雌要素１の一定の重なり部分によって保証される（もたらされる）ようになっている。さらに、適切な材料によって適切な厚さに作製されると共に雌要素と部分的若しくは完全に一体となるか又は雌要素に留められて、その結果、生じ得る摩擦及び結果的に生じる引きずり騒音を減少させるように適切に形作られた要素１５を、上述のシェル要素同士１、７の間に介在させることができる。ヒンジ５の可動部分に形成されたジョイント３の存在がヒンジ５自体の構成に適している一方で、他の構成に対しては、ジョイント３が別体であると共に扉６に直接一体的に取り付け可能であるという理由で、それぞれのシェル要素１〜７内に含まれずに別体の構成要素として構成されるシェル支持ブロック２及び楔ブロック８の存在は、単一の組立体システムと共に、囲まれるヒンジの種類に対応して様々な形状及び厚さにシェル１〜７を形成可能とするという必要性を満たすものとなっている。シェル要素１〜７の運動学的機構が、ヒンジ５〜９の要素から分離されているので、その使用は、様々なヒンジのアーム及び基部の存在下でも可能であり、シェル形状である第３の要素１０の存在下でも同様に可能であり、シェル形状の第３の要素１０及び雄要素７間の重なりの深さ部分を用いて、完全若しくは部分的なアーム付きの基部を適用すること又はヒンジを使用することによって生じる厚さ部分全体を隠すことができるという必要性を満たすものとなっている。さらに、上述のシェル要素１〜７は、扉６の動きを補助する必要はないが、ヒンジ５〜９を囲むだけでなく、それら自体の運動学的機構を有しており、その結果、それらにより囲まれるヒンジ５〜９の形状とは顕著に異なる形状を取ることができる。それによって、囲まれたヒンジを見えなくするように様々な形状に形成されるシェル構造体を実現する可能性がもたらされるので、ヒンジを全体的に囲むシェル要素１〜７の存在は、所望の審美的外観を技術的な対象、すなわち、内部に囲まれたヒンジにもたらすことを可能にするものとなっている。最後に、閉鎖用バネ４が使用されていない場合、雄要素７内に空洞１３が設けられる一方で、雌要素１に突出部１４が設けられて、上述の空洞１３に突出部１４が嵌合して、雄要素７上における雌要素１の一定の重なりが確実になる。上述のように、本発明を単に例によって提案したが、それらは、多数の修正形態又は変形形態を受け入れ得ることを意味し、その全てが本発明の範囲内にあり、若干の又はより多くの洗練された修正、調節、及び解決策が導入される場合、モノブロック（monoblock）は、他の目的のために、家具業界内でそれを使用できるのと同様に、他の分野においても異なる応用性を有することができる。
【図１】
2016507682.tif 000003
【図２】
2016507682.tif 000004
【図３】
2016507682.tif 000005
【図４】
2016507682.tif 000006
【図５】
2016507682.tif 000007
【図６】
2016507682.tif 000008
【図７】
2016507682.tif 000009
【図８】
2016507682.tif 000010
【図９】
2016507682.tif 000011
【図１０】
2016507682.tif 000012
【図１１】
2016507682.tif 000013
【国際調査報告】
2016507682.tif 000014
2016507682.tif 000015